(57)【要約】【課題】  シャー角を調整して、種々のプライ材料の切断に対して、刃部の耐久性の低下、及び切断精度の低下や切断不良の発生を抑制する。【解決手段】  固定刃２に対してシャー角αで下降する移動刃３と、移動刃３を保持するカッターホルダ４とを具える。カッターホルダ４は、上下動自在に支持される第１ホルダ１０と、移動刃３が交換可能に取り付く第２ホルダ１１と、この第２ホルダ１１の切断方向一側縁側を第１ホルダ１０に枢支させることによりシャー角αを調整可能とした枢支軸１５を含むシャー角調整手段１２とを具える。【選択図】図２
2018024148.tif 000002
【特許請求の範囲】
【請求項１】
ゴム中に複数の金属コードが埋設された長尺帯状なしかつ長さ方向に搬送されるプライ材料を、所定長さで切断するプライ材料の切断装置であって、
下方側に配される固定刃と、
上方側に配され、かつ前記固定刃に対してシャー角αで下降することにより前記固定刃との間でプライ材料を切断する移動刃と、
前記移動刃を保持するカッターホルダとを具えるとともに、
前記カッターホルダは、上下動自在に支持される第１ホルダと、前記移動刃が交換可能に取り付く第２ホルダと、この第２ホルダの切断方向一側縁側を前記第１ホルダに枢支させることにより前記シャー角αを調整可能とした枢支軸を含むシャー角調整手段とを具えることを特徴とするプライ材料の切断装置。
【請求項２】
前記シャー角調整手段は、前記第２ホルダの切断方向他側縁側に取り付き上方にのびるネジ軸と、前記ネジ軸に螺合する送りナットと、前記送りナットを回転駆動し前記前記第２ホルダの切断方向他側縁側を上下動させることにより前記シャー角αを変化させるモータとを含むことを特徴とする請求項１記載のプライ材料の切断装置。
【請求項３】
前記送りナットは第１プーリであり、前記シャー角調整手段は、前記モータに接続される第２プーリ、及びこの第２プーリと前記第１プーリとの間を連結するベルトとを含むことを特徴とする請求項２記載のプライ材料の切断装置。
【請求項４】
前記カッターホルダは、上下動可能な昇降体に支持されるとともに、
前記上下動に際して、前記昇降体及び／又はカッターホルダの搬送方向前面に当接し、前記移動刃と前記固定刃との間のクリアランスの増加を防ぐ当接ローラを具えることを特徴とする請求項１〜３の何れかに記載のプライ材料の切断装置。 
【発明の詳細な説明】
【技術分野】
【０００１】
本発明は、タイヤ製造に好適に採用でき、ゴム中に複数の金属コードが埋設された長尺帯状のプライ材料を、所定長さで切断するプライ材料の切断装置に関する。
【背景技術】
【０００２】
空気入りタイヤのベルト層は、通常、ゴム中に複数の金属コードが埋設された長尺帯状のプライ材料を用いて形成される。例えば下記の特許文献１では、前記プライ材料を、長さ方向に対して所定角度θ（例えば１６〜７３°）で、順次切断し、その切断片を、タイヤ周方向に対して前記角度θと等しい角度で傾けながら、ドラム外周面上かつタイヤ周方向に順次貼り付け、これによりベルト層を形成することが記載されている。
【０００３】
他方、前記プライ材料の切断には、図５に示すように、下方側に配される固定刃ａと、上方側に配される移動刃ｂとを有するギロチン型の切断装置が多用される。この種の装置では、移動刃ｂを、固定刃ａに対してシャー角αで下降させることにより、固定刃ａとの間でプライ材料Ｐが切断される（例えば特許文献２参照）。
【０００４】
ここで、シャー角αが小さい場合、切断に大きな荷重が必要となる。そのため、固定刃ａおよび移動刃ｂへの負担が大きくなり、刃部が早期に摩耗したり、欠けの発生を招くなど、耐久性を低下させるという問題がある。逆に、シャー角αが大きい場合、プライ材料ＰがＫ方向に逃げて位置ずれを起こし、切断精度の低下や切断不良を招くという問題がある。従って、上記の問題点を回避するためには、最適なシャー角αで切断することが重要である。
【０００５】
しかし、プライ材料Ｐにおける金属コードの材質、金属コードの太さ、金属コードの打ち込み密度等は、製造するタイヤの種類（カテゴリやタイヤサイズを含む）に応じて相違するとともに、最適なシャー角αは、前記プライ材料Ｐにおける金属コードの材質、金属コードの太さ、金属コードの打ち込み密度等に応じて相違する。
【０００６】
そのため、種々な種類のタイヤを製造するためには、プライ材料Ｐに応じてシャー角αを変更することが強く望まれる。
【先行技術文献】
【特許文献】
【０００７】
【特許文献１】特開２０１２−１７１１８３号公報
【特許文献２】特開２０１３−１２３７８３号公報
【発明の概要】
【発明が解決しようとする課題】
【０００８】
そこで本発明は、シャー角を調整でき、種々のプライ材料の切断に対して、刃部の耐久性の低下、及び切断精度の低下や切断不良の発生を抑制しうるプライ材料の切断装置を提供することを課題としている。
【課題を解決するための手段】
【０００９】
本発明は、ゴム中に複数の金属コードが埋設された長尺帯状なしかつ長さ方向に搬送されるプライ材料を、所定長さで切断するプライ材料の切断装置であって、
下方側に配される固定刃と、
上方側に配され、かつ前記固定刃に対してシャー角αで下降することにより前記固定刃との間でプライ材料を切断する移動刃と、
前記移動刃を保持するカッターホルダとを具えるとともに、
前記カッターホルダは、上下動自在に支持される第１ホルダと、前記移動刃が交換可能に取り付く第２ホルダと、この第２ホルダの切断方向一側縁側を前記第１ホルダに枢支させることにより前記シャー角αを調整可能とした枢支軸を含むシャー角調整手段とを具えることを特徴としている。
【００１０】
本発明に係るプライ材料の切断装置では、前記シャー角調整手段は、前記第２ホルダの切断方向他側縁側に取り付き上方にのびるネジ軸と、前記ネジ軸に螺合する送りナットと、前記送りナットを回転駆動し前記前記第２ホルダの切断方向他側縁側を上下動させることにより前記シャー角αを変化させるモータとを含むことが好ましい。
【００１１】
本発明に係るプライ材料の切断装置では、前記送りナットは第１プーリであり、前記シャー角調整手段は、前記モータに接続される第２プーリ、及びこの第２プーリと前記第１プーリとの間を連結するベルトとを含むことが好ましい。
【００１２】
本発明に係るプライ材料の切断装置では、前記カッターホルダは、上下動可能な昇降体に支持されるとともに、
前記上下動に際して、前記昇降体及び／又はカッターホルダの搬送方向前面に当接し、前記移動刃と前記固定刃との間のクリアランスの増加を防ぐ当接ローラを具えることが好ましい。
【発明の効果】
【００１３】
本発明は叙上の如く、シャー角を調整可能としたシャー角調整手段を具える。従って、種々な種類のタイヤを製造するに際して、シャー角が小さいことに起因する刃部の早期摩耗や欠けの発生、及びシャー角が大きいことに起因する切断精度の低下や切断不良の発生を、プライ材料に応じて抑制することができる。
【図面の簡単な説明】
【００１４】
【図１】本発明のプライ材料の切断装置の一実施例を示す側面図である。
【図２】その主要部を示す正面図である。
【図３】その主要部を示す側面図である。
【図４】シャー角調整手段の作用を示す概念図である。
【図５】従来の切断装置の一部を示す正面図である。
【発明を実施するための形態】
【００１５】
以下、本発明の実施の形態について、詳細に説明する。
図１に示すように、本発明の切断装置１は、下方側に配される固定刃２と、上方側に配される移動刃３と、前記移動刃３を保持するカッターホルダ４とを具え、長さ方向に搬送される長尺帯状のプライ材料Ｐを、所定長さで順次切断する。
【００１６】
前記プライ材料Ｐは、図４に示すように、互いに平行に引き揃えられた複数の金属コードＣが、ゴムＧ中に埋設されている。本例では、プライ材料Ｐがタイヤのベルト層形成用部材であって、長さ方向に対して例えば１６〜７３°の角度で切断される。
【００１７】
本実施形態の切断装置１は、図１に示すように、テーブル台５Ａと、このテーブル台５Ａから立ち上がる支柱部５Ｂとを有するフレーム５を具える。前記プライ材料Ｐは、テーブル台５Ａの上面に沿って搬送方向Ｆに送られる。
【００１８】
テーブル台５Ａの搬送方向前端部には、固定刃２が、刃先２Ｅを上向きにして取り付けられる。テーブル台５Ａの上面と刃先２Ｅとは同一面上に配される。
【００１９】
又支柱部５Ｂには、昇降体７を上下動させる駆動手段８と、前記昇降体７を上下に案内するガイド手段９とが取り付けられる。
【００２０】
前記駆動手段８は、本例ではシリンダ８Ａであって、そのロッド８Ａ１を下方に向けて、支柱部５Ｂの上端部に取り付けられる。又シリンダ８Ａのロッド下端には、例えばブロック状の昇降体７が支持される。
【００２１】
前記ガイド手段９は、例えばＬＭガイド（リニアモーションガイド）などのリニアガイドであって、上下に延びるに直線状のレール９Ａと、前記レール９Ａに沿って移動自在に案内される移動体９Ｂとから構成される。本例では、移動体９Ｂが前記支柱部５Ｂに取り付き、レール９Ａが前記昇降体７に取り付く場合が示される。
【００２２】
図２、３に示すように、前記昇降体７の下端部には、カッターホルダ４を介して移動刃３が保持される。移動刃３は、横長矩形板状をなし、その刃先３Ｅが固定刃２の刃先２Ｅに対してシャー角αで傾斜するように保持される。そして移動刃３が、前記シャー角αで下降することにより、固定刃２との間でプライ材料Ｐが切断される。なお刃先２Ｅ、３Ｅは、それぞれ固定刃２及び移動刃３の巾方向に沿ってのび、従って、固定刃２及び移動刃３の巾方向は、切断方向と一致する。
【００２３】
前記カッターホルダ４は、前記昇降体７に取り付く第１ホルダ１０と、移動刃３が交換可能に取り付く第２ホルダ１１と、前記シャー角αを調整しうるシャー角調整手段１２とを具える。
【００２４】
本例の第１ホルダ１０は、前記昇降体７の下端部に形成される例えば矩形状の切欠き部１３に、例えばボルトによって固定される。この固定状態において、本例では、昇降体７の搬送方向前面７Ｓと第１ホルダ１０の搬送方向前面１０Ｓとは面一状に整一している。なお第１ホルダ１０の下端部には、第２ホルダ１１の搬送方向背面を受ける重なり部１０Ａが配される。
【００２５】
前記第２ホルダ１１は、その下端側で、移動刃３の上端側を例えばボルトによって取り付ける。又第２ホルダ１１の切断方向一側縁側は、第１ホルダ１０に取り付く枢支軸１５により枢支される。枢支軸１５は、前記重なり部１０Ａに、切断方向とは直交する向きで取り付く。従って、図４に示すように、第２ホルダ１１が、枢支軸１５を支点として傾くことにより、シャー角αを変化させることができる。
【００２６】
図２、３に示すように、前記シャー角調整手段１２は、前記枢支軸１５を含み、本例では、さらにネジ軸１６と、送りナット１７と、モータ１８とを具える場合が示される。
【００２７】
前記ネジ軸１６は、第２ホルダ１１の切断方向他側縁側に取り付き、上方にのびる。本例では、第２ホルダ１１の切断方向他側縁側の側面に固定される取付け部１６Ａと、この取付け部１６Ａから上方にのびるネジ軸本体１６Ｂとを具える。なお取付け部１６Ａとネジ軸本体１６Ｂとは、前記枢支軸１５と平行な枢支軸１６Ｃによって枢支される。従って、ネジ軸本体１６Ｂは、第２ホルダ１１の傾動に対して、常時垂直な状態を維持することができる。
【００２８】
また送りナット１７は、前記ネジ軸１６（本例ではネジ軸本体１６Ｂ）に螺合する。なお送りナット１７は、その高さ位置が変動しないように、昇降体７に保持板（図示しない）を介して回転自在に支持されている。
【００２９】
前記モータ１８は、送りナット１７を回転駆動し、これによって前記ネジ軸１６を介して、第２ホルダ１１の切断方向他側縁側を上下動させることができる。又この上下動により、第２ホルダ１１は、移動刃３とともに枢支軸１５を支点として傾動し、シャー角αを変化させうる。なおモータ１８として、回転角度を制御可能なサーボモータが好適に採用しうる。
【００３０】
本例では、前記送りナット１７が第１プーリ１９として形成される。そしてシャー角調整手段１２は、前記モータ１８に接続される第２プーリ２０、及びこの第２プーリ２０と前記第１プーリ１９との間を連結するベルト２１とを含む。
【００３１】
本例では、シャー角調整手段１２によってシャー角αを調整した後、調整したシャー角αで移動刃３を固定するためのネジ孔２２（図２に示す）が第１ホルダ１０の重なり部１０Ａに形成される。なお第２ホルダ１１には、前記ネジ孔２２と合う位置に、上下方向に長い長孔状の挿通孔（図示しない）が配される。しかし、モータ１８としてブレーキ付きモータを使用する場合などには、ネジ孔２２や挿通孔を排除することができる。
【００３２】
切断装置１では、前記ガイド手段９におけるガタ付きや撓み等に原因し、移動刃３が下降したとき、移動刃３と固定刃２との間のクリアランスが大きくなって、切れ味が低下する傾向にある。そのため、本例の切断装置１には、クリアランス維持手段２５が配される。このクリアランス維持手段２５は、移動刃３の上下動に際して、昇降体７及び／又はカッターホルダ４の搬送方向前面７Ｓ、１０Ｓに当接する当接ローラ２６を具える。
【００３３】
本例のクリアランス維持手段２５は、図１に示すように、支柱部５Ｂの両側面から搬送方向前方にのびる支持アーム２７と、各支持アーム２７の搬送方向前端部に枢着され、前面７Ｓ、１０Ｓに当接する当接ローラ２６を具える。この当接ローラ２６は、移動刃３の上下動に際して、前面７Ｓ、１０Ｓと当接しながら回転する。これにより、前記クリアランスを、例えば０．０１mmに保つことができる。なお当接ローラ２６と前面７Ｓ、１０Ｓとの接触位置Ｑは、少なくとも前記ガイド手段９の移動体９Ｂよりも下方に位置する。
【００３４】
又本例では、プライ材料Ｐの種類に応じて、切断圧力を調整する調整手段（図示しない）が配される。この調整手段は、シリンダ８Ａと空気供給源との間に介在して、前記空気供給源からの作動空気の基準圧力を電気信号によって制御する電空比例弁と、プライ材料Ｐの種類毎の適正圧力のデータを記憶し、要求に応じて適正圧力の信号を出力するコンピュータ等の制御手段と、この制御手段からの信号を圧力調整信号に変換して電空比例弁に出力するシーケンサ（ＰＣＬ）とを具える。
【００３５】
以上、本発明の特に好ましい実施形態について詳述したが、本発明は図示の実施形態に限定されることなく、種々の態様に変形して実施しうる。
【符号の説明】
【００３６】
１     切断装置
２     固定刃
３     移動刃
４     カッターホルダ
７     昇降体
１０   第１ホルダ
１１   第２ホルダ
１２   シャー角調整手段
１５   枢支軸
１７   送りナット
１８   モータ
１９   第１プーリ
２０   第２プーリ
２１   ベルト
Ｃ     金属コード
Ｆ     搬送方向
Ｐ     プライ材料
【図１】
2018024148.tif 000003
【図２】
2018024148.tif 000004
【図３】
2018024148.tif 000005
【図４】
2018024148.tif 000006
【図５】
2018024148.tif 000007